(57)【要約】    【課題】１種類のブックスタンドユニットを複数個連結させることで、収納領域の開口幅が比較的大きく厚手の書籍の収納に適したブックスタンドと、収納領域の開口幅が比較的小さく薄物冊子類を立てた状態で整理保管できるブックスタンドとを組立て可能なブックスタンドユニットを提供する。    【課題を解決するための手段】平板状の側板１１とその側板に立設する第１の立壁１４と第２の立壁１５とで構成するブックスタンドユニット１（１´、１´´）であって、第1の立壁１４または第２の立壁１５における前記側板１１の平面と平行な端部または端部対応部位１４ａ，１４ｂ、１５ａ、１５ｂは、隣接するブックスタンドユニット１（１´´）の第１の立壁１４または第２の立壁１５における側板１１の平面と平行な端部または端部対応部位１４ａ，１４ｂ、１５ａ、１５ｂに選択的に接触させて組立て可能な構成にした。    【選択図】図１
2005073958.tif 000002
【特許請求の範囲】
【請求項１】
平板状の側板を有し、相互に連結することによって側板間を収納領域とするブックスタンドを構成するものであって、一方のブックスタンドユニットに対して他方のブックスタンドユニットの側板を裏返して連結することによって、側板間に異なる収納幅の収納領域を形成し得るようしたことを特徴とするブックスタンドユニット。
【請求項２】
平板状の側板とその側板に隣接する２側辺より一側面側に起立する第１の立壁及び第２の立壁とを具備するブックスタンドユニットであって、
一対の隣接するブックスタンドユニットは、一方のブックスタンドユニットを構成する側板の他側面に他方のブックスタンドユニットを構成する側板の一側面を対面させた状態では、当該他方のブックスタンドユニットを構成する第１の立壁の端部及び第２の立壁の端部を前記一方のブックスタンドユニットを構成する側板のうち第１の立壁の端部対応部位及び第２の立壁の端部対応部位に接続して相互に連結が可能であり、一方のブックスタンドユニットを構成する側板の一側面に他方のブックスタンドユニットを構成する側板の一側面を対面させた状態では、当該他方のブックスタンドユニットを構成する第１の立壁の端部及び第２の立壁の端部を前記一方のブックスタンドユニットを構成する第２の立壁の端部及び第１の立壁の端部に接続して相互に連結が可能であることを特徴とするブックスタンドユニット。
【請求項３】
前記平板状の側板は、その側板の隣接し合う２つの側辺でなす角を２等分する直線を仮想したとき、その仮想線に対して線対称な形状であることを特徴とする請求項２記載のブックスタンドユニット。
【請求項４】
前記平板状の側板は、その側板の対角線を仮想したとき、その対角線に対して線対称な形状であることを特徴とする請求項２記載のブックスタンドユニット。
【請求項５】
前記平板状の側板は、少なくとも３つの側辺で形成されるとともに、その側辺のうち隣接する２側辺の一方の側辺または側辺近傍に前記第1の立壁を立設させ、他方の側辺または側辺近傍に前記第２の立壁を立設させていることを特徴とする請求項２ないし４記載のブックスタンドユニット。
【請求項６】
前記平板状の側板の隣接する２側辺は、互いに直角をなす関係であることを特徴とする請求項５記載のブックスタンドユニット。
【請求項７】
前記第１の立壁と第２の立壁は、前記平板状の側板の隣接する２側辺に平行に立設させていることを特徴とする請求項６記載のブックスタンドユニット。
【請求項８】
前記第１の立壁または第２の立壁における前記側板の平面と平行な端部または端部対応部位近傍には、連結手段を備えていることを特徴とする請求項２ないし７記載のブックスタンドユニット。
【請求項９】
前記連結手段は、前記第1の立壁と第２の立壁の端部または端部対応部位側に凸部または凹部を設けていることを特徴とする請求項８記載のブックスタンドユニット。
【請求項１０】
前記第1の立壁または第２の立壁は、複数の前記ブックスタンドユニットを連結した状態を維持させる連結維持手段を備えることを特徴とする請求項２ないし９記載のブックスタンドユニット。
【請求項１１】
前記連結維持手段は、爪部材と爪部材を受容可能な受容部とで構成され、前記爪部材は、前記第１の立壁または第２の立壁に回動自在な薄肉ヒンジとその薄肉ヒンジの先端側に爪片とを備えているとともに、前記受容部は、前記爪部材を嵌め込みおよび嵌め込み解除可能な受容部とで構成されていることを特徴とする請求項１０のブックスタンドユニット。
【請求項１２】
請求項１から１１記載のブックスタンドユニットを複数個組み合わせることにより構成されることを特徴とするブックスタンド。
【発明の詳細な説明】
【技術分野】
【０００１】
本発明は、１種類のブックスタンドユニットで所望の態様のブックスタンドを組立てることが可能なブックスタンドユニットに関するものである。
【背景技術】
【０００２】
従来より知られている組立て式本立てとして、例えば、特許文献１に示される形態のものが存在する。この組立て式本立ては、一対の側板と、各１枚の背板および底板とで構成され、背板と底板にあらかじめ設けられたスリット部もしくは開口部に、側板に設けられた係止片を差し込むことで組立てる形態のものである。このものは、底板の幅寸法が異なるものの用意があれば、前記幅寸法が大きい底板を選択することで、特に厚手の書籍の保存の場合や充分な収納容量を確保したい使用者にとって好適な組立て式本立てを提供することができる。
【０００３】
また、特許文献２に示される形態の本立ては、一枚の側板と複数の仕切板と複数の底板と背面板とを主構成部材としている形態のもので、底板の幅寸法は比較的小さく設定しているとともに、底板は、水平面に対して斜めに設定させることで、収納領域は一方向に傾いた状態となっている。このものは、特にソフトカバーを使用した書類等を単に収納領域に立て掛けるだけで、仕切板や側板に押し当てられた状態を得られ、その形が崩れない状態での保存に適している本立てである。
【特許文献１】特開平１０−３０４９４１号公報
【特許文献２】特開平１１−３２８４５号公報
【発明の開示】
【発明が解決しようとする課題】
【０００４】
しかしながら、特許文献１に示される形態の組立て式本立ては、前記ソフトカバーを使用した書類や薄物冊子類を、その形が崩れないように立てて保存させようとすると、底板の幅寸法を小さく設定した底板を別途用意する必要がある。あるいは、前記ソフトカバーを使用した書類や薄物冊子類を立て掛けるための仕切部材を別途用意する必要がある。また、特許文献２に示される形態の本立ては、厚手の書籍の保存をする場合、書籍の厚みより底板の幅寸法が小さければ、その書籍は当該本立てに収納は不可能となる。
【０００５】
本発明は、このような現状に鑑み、収納する書籍や書類、薄物冊子類に応じて、所望の底板の幅寸法、すなわち所望の収納領域の幅寸法のブックスタンドを選択的に組立てできるブックスタンドユニットを提供しようとするものである。
【課題を解決するための手段】
【０００６】
本発明は、かかる目的を達成するために、次のような構成を採用したものである。
【０００７】
本発明にかかるブックスタンドユニットは、平板状の側板を有し、相互に連結することによって側板間を収納領域とするブックスタンドを構成するものであって、一方のブックスタンドユニットに対して他方のブックスタンドユニットの側板を裏返して連結することによって、側板間に異なる収納幅の収納領域を形成し得るようしたことを特徴とする。
【０００８】
このようなものであれば、収納しようとする書籍類、冊子類を立てて整理保管させるために、書籍類、冊子類の厚さ寸法に応じて、１種類のブックスタンドユニットで収納領域の幅寸法を選択的に設定できるブックスタンドを組立てることが可能である。
【０００９】
前記ブックスタンドユニットの基本構成として、平板状の側板とその側板に隣接する２側辺より一側面側に起立する第１の立壁及び第２の立壁とを具備するブックスタンドユニットであって、
一対の隣接するブックスタンドユニットは、一方のブックスタンドユニットを構成する側板の他側面に他方のブックスタンドユニットを構成する側板の一側面を対面させた状態では、当該他方のブックスタンドユニットを構成する第１の立壁の端部及び第２の立壁の端部を前記一方のブックスタンドユニットを構成する側板のうち第１の立壁の端部対応部位及び第２の立壁の端部対応部位に接続して相互に連結が可能であり、一方のブックスタンドユニットを構成する側板の一側面に他方のブックスタンドユニット構成する側板の一側面を対面させた状態では、当該他方のブックスタンドユニットを構成する第１の立壁の端部及び第２の立壁の端部を前記一方のブックスタンドユニットを構成する第２の立壁の端部及び第１の立壁の端部に接続して相互に連結が可能である構成を採用することが好ましい。
【００１０】
このようなものであれば、前者の連結時に構成されるブックスタンドは第1の立壁や第２の立壁の起立高さに対応する収納幅を有し、後者の連結時に構成されるブックスタンドは第１の立壁および第２の立壁の各起立高さを加え合わせた収納幅を有することとなる。したがって、収納しようとする書籍類、冊子類を立てて整理保管させるために、書籍類、冊子類の厚さ寸法に応じて、１種類のブックスタンドユニットで収納領域の幅寸法を選択的に設定できるブックスタンドを組立てることが可能である。
【００１１】
また、前記平板状の側板は、その側板の隣接し合う２つの側辺でなす角を２等分する直線を仮想したとき、その仮想線に対して線対称な形状であるものや、その側板の対角線を仮想したとき、その対角線に対して線対称な形状であれば、ブックスタンドユニットの取付方位を変更して収納領域の幅寸法が異なるブックスタンドを形成しても側板の形状に統一性を持たせることができる。
【００１２】
具体的には、前記平板状の側板は、少なくとも３つの側辺で形成されるとともに、その側辺のうち隣接する２側辺の一方の側辺または側辺近傍に前記第１の立壁を立設させ、他方の側辺または側辺近傍に前記第２の立壁を立設させていれば、本発明のブックスタンドユニットの基本的な構成を備えるものとなる。さらに、平板状の側板の隣接する２側辺は、互いに直角をなす関係であり、かつ、前記第１の立壁と第２の立壁は、前記平板状の側板の隣接する２側辺に沿って平行に立設させている構成を採用すれば、簡素な形状でありながら、収納領域の奥行きを充分に確保できるブックスタンドユニットを提供できる。
【００１３】
複数個のブックスタンドユニットを連結させるために、前記第１の立壁または第２の立壁における前記側板の平面と平行な端部近傍には、連結手段を備えさせておくとよく、前記連結手段は、前記第１の立壁と第２の立壁との一方の端部側に凸部を設けているとともに、他方の端部側に凹部を設けている構成を採用すれば、凹凸係合構造で簡単な構成の連結手段を形成でき、難なくブックスタンドユニットを連結させることができる。
【００１４】
前記第１の立壁または第２の立壁は、複数の前記ブックスタンドユニットを連結した状態を維持させる連結維持手段を備えさせておけば、連結された各ブックスタンドユニットが不意に解体されてしまうおそれがなくなる。
【００１５】
好ましくは、前記連結維持手段は、爪部材と爪部材を受容可能な受容部とで構成され、前記爪部材は、前記第１の立壁または第２の立壁に回動自在な薄肉ヒンジとその薄肉ヒンジの先端側に爪片とを備えているとともに、前記受容部は、前記爪部材を嵌め込みおよび嵌め込み解除可能な受容穴とで構成させるとよい。このような構成を採用すれば、一方のブックスタンドユニットの前記爪片を、隣接するブックスタンドユニットの前記受容部に嵌め込むだけで、両ブックスタンドユニットは互いに連結されている状態を簡単に構成できる。また、この連結を解除する場合も、前記嵌め込みと逆の動作をするだけで簡単に連結維持状態を解除できる。
【発明の効果】
【００１６】
本発明は、以上に詳述した構成により、収納しようとする書籍類、冊子類を立てて整理保管させるために、１種類のブックスタンドユニットを複数個連結させることで、収納領域の幅寸法を選択的に設定できるブックスタンドを組立てることができる。
【発明を実施するための最良の形態】
【００１７】
以下、本発明の一実施形態について、図面を参照して説明する。本実施形態に係るブックスタンドユニット１は、図１の斜視図、図２の正面図に示すように、平板で略正方形状の側板１１と、その側板１１の隣接する２側辺１２、１３のうち、一方の側辺１２に沿って、後述する互いに嵌合可能な寸法設定としている凸部１４２と凹部１４１を形成し、側板１１の内方近傍の領域１２´に立設させる第１の側壁１４と、他方の側辺１３に沿って、後述する互いに嵌合可能な寸法設定としている凸部１５１と凹部１５２を形成し、側板１１の内方近傍の領域１３´に立設させる前記第１の立壁１４と同一の突出高さである第２の立壁１５とで構成するものである。前記第１の立壁１４は、反側板１１側に端部１４ａを備え、側板１１側に当該側板１１と第１の側壁１４とが交わってなす直線状の端部対応部位１４ｂを形成する。同様に、前記第２の立壁１５は、反側板１１側に端部１５ａを備え、側板１１側に当該側板１１と第２の立壁１５とが交わってなす直線状の端部対応部位１５ｂを形成する。第１の立壁１４における一方の端部１４ａ側は、連結手段として円柱状の凹部１４１、１４１を備えるとともに、側板１１上の端部対応部位１４ｂ側は、円柱状の凸部１４２、１４２を備えている。また、第１の立壁１４における一方の端部対応部位１４ｂの反第２の立壁１５側に、隣接するブックスタンドユニット１を連結させるための連結維持手段１６として、薄肉ヒンジ１６１を介して板状の爪部材１６２を回転自在に連接させている。さらに爪部材１６２は、該爪部材１６２の両先端側に連接され小板状片で形成される一対の回転規制爪片１６３、１６３とその爪部材１６２の表裏各面に２本ずつ立設させて形成する一対の連結立壁爪片１６４Ａ、１６４Ａと１６４Ｂ、１６４Ｂ（図２ないし図５参照）とで構成される。また、第１の立壁１４には、前記連結維持手段１６を第１の立壁１４の裏面に略密着させるための領域である受容部１７が設けられている。受容部１７は、前記回転規制爪片１６３、１６３と係脱可能な構成である断面視略Ｊ字状の一対の係脱片１７１、１７１を立設させるとともに、爪部材１６２の片面に備わる前記連結立壁爪片１６４Ａ、１６４Ｂを受容するための受容穴１７２Ａ、１７２Ａ、１７２Ｂ、１７２Ｂとを備えている。また、前記回転規制爪片１６３、１６３と係脱片１７１、１７１とが係り合っている状態で指先を爪部材１６２に押圧させて解除させるための係り合い解除貫通穴１７３を前記４個の受容穴１７２Ａと１７２Ｂとが配置されている略中央領域に設けている。同様に、第２の立壁１５における一方の端部１５ａ側は、連結手段として円柱状の凸部１５２、１５２を備えるとともに、側板１１上の端部対応部位１５ｂ側は、円柱状の凹部１５１、１５１を備えている。また、第２の立壁１５における一方の端部１５ａの反第１の立壁１４側に、隣接するブックスタンドユニット１を連結させるための連結維持手段１８として、前記連結維持手段１６と同構成で、薄肉ヒンジ１８１を介して板状の爪部材１８２を回転自在に連接させている。さらに爪部材１８２は、該爪部材１８２の両先端側に連接され小板状片で形成される一対の回転規制爪片１８３、１８３とその爪部材１８��の表裏両面に２本ずつ立設させて形成する連結立壁爪片１８４Ａ、１８４Ａと１８４Ｂ、１８４Ｂとで構成される。また、第２の立壁１５には、前記連結維持手段１８を第２の立壁１５の裏面に略密着させるための領域である受容部１９が設けられている。受容部１９は、図４および図５に示すように、前記回転規制爪片１８３、１８３と係脱可能な構成である断面視略Ｊ字状の一対の係脱片１９１、１９１を立設させるとともに、爪部材１８２の片面に備わる前記連結立壁爪片１８４Ａ、１８４Ｂを受容するための受容穴１９２Ａ、１９２Ａ、１９２Ｂ、１９２Ｂを備えている。また、前記回転規制爪片１８３、１８３と係脱片１９１、１９１とが係り合っている状態で指先を爪部材１８２に押圧させて解除させるための係り合い解除貫通穴１９３を前記４個の受容穴１９２Ａと１９２Ｂとが配置されている略中央領域に設けている。なお、このブックスタンドユニット１は樹脂成形品であれば、製造コストを低減できるものになるとともに軽量かつ使用上必要な強度も得られものとなる。
【００１８】
次に、図３ないし図６を参照して、一対のブックスタンドユニット１´、１´´を使って組立てる一形態のブックスタンドの構造と組立て方について説明する。
【００１９】
図３に示している形態のブックスタンドＢ１は、同一である一対の前記ブックスタンドユニット１´、１´´により収納領域Ｓの開口幅を比較的大きく確保するように構成されており、例えば、ブックスタンドユニット１´の第１の立壁１４とブックスタンドユニット１´´の第２の立壁１５とで、収納領域Ｓの底壁を形成し、ブックスタンドユニット１´の第２の立壁１５とブックスタンドユニット１´´の第１の立壁１４とで収納領域Ｓの背壁を形成する形態のブックスタンドであり、厚手の書籍等を収納するのに適しているものである。ブックスタンドユニット１´´は、図１にあらわされているようにブックスタンドユニット１´に対し鏡像の位置関係に配置し、ブックスタンドユニット１´の第１の立壁１４における側板１１の平面と平行な一方の端部１４ａとブックスタンドユニット１´´の第２の立壁１５における側板１１の平面と平行な一方の端部１５ａとを、ブックスタンドユニット１´の第２の立壁１５における側板１１の平面と平行な一方の端部１５ａとブックスタンドユニット１´´の第１の立壁１４における側板１１の平面と平行な一方の端部１４ａとを互いに接触させて組立てられる構成のものである。
【００２０】
まず、ブックスタンドユニット１´の第１の立壁１４における側板１１の平面と平行な一方の端部１４ａとブックスタンドユニット１´´の第２の立壁１５における側板１１の平面と平行な一方の端部１５ａとを互いに接触させ、ブックスタンドユニット１´の第２の立壁１５における側板１１の平面と平行な一方の端部１５ａとブックスタンドユニット１´´の第１の立壁１４における側板１１の平面と平行な一方の端部１４ａとを、互いに接触させる。このとき、ブックスタンドユニット１´の端部１４ａの収納領域Ｓ側に備わる凹部１４１、１４１とブックスタンドユニット１´´の端部１５ａの収納領域Ｓ側に備わる凸部１５２、１５２とを互いに嵌合させ、ブックスタンドユニット１´の端部１５ａの収納領域Ｓ側に備わる凸部１５２、１５２とブックスタンドユニット１´´の端部１４ａの収納領域Ｓ側に備わる凹部１４１、１４１とを互いに嵌合させる。これにより、ブックスタンドユニット１´と１´´とは位置ずれを生じることなく組合わされる。
【００２１】
上記のようにブックスタンドユニット１´と１´´とを連結させてブックスタンドＢ１を形成するが、このブックスタンドユニット１´と１´´との連結状態を維持させるために、まず、ブックスタンドユニット１´の第２の立壁１５に備わる爪部材１８２をブックスタンドユニット１´´の第１の立壁１４に備わる受容部１７に収める。具体的には、図４と図５にあらわされているように、ブックスタンドユニット１´に備わる回転自在な薄肉ヒンジ１８１より先端に形成されている爪部材１８２を、ブックスタンドユニット１´´側に倒伏させる。そのときに、ブックスタンドユニット１´に連接されている爪部材１８２の先端側に備わる回転規制爪片１８３、１８３を、ブックスタンドユニット１´´の係脱可能に構成する断面視略Ｊ字状の一対の係脱片１７１、１７１に押し込めて係り合わせる。同時に、ブックスタンドユニット１´の前記爪部材１８２に備わる連結立壁爪片１８４Ａ、１８４Ａはブックスタンドユニット１´´の前記受容部１７に貫通して形成されている受容穴１７２Ａ、１７２Ａと互いに嵌合させる。また、ブックスタンドユニット１´´に備わる回転自在な薄肉ヒンジ１６１より先端に形成されている爪部材１６２は、同様に前記受容部１７に収めればよく、爪部材１８２の先端側に備わる回転規制爪片１６３、１６３を、係脱可能に構成する断面視略Ｊ字状の一対の係脱片１７１、１７１に押し込めて係り合わせ、連結立壁爪片１６４Ａ、１６４Ａは前記受容部１７に貫通して形成されている受容穴１７２Ｂ、１７２Ｂと互いに嵌合させる.
また、同要領で、ブックスタンドユニット１´´の第２の立壁１５に備わる爪部材１８２をブックスタンドユニット１´の第１の立壁１４に備わる受容部１７に収めるとともに、ブックスタンドユニット１´に備わる爪部材１６２も、受容部１７に貫通して形成されている受容穴１７２Ｂ、１７２Ｂと互いに嵌合させる.
なお、前記両爪部材１６２、１６２は、ブックスタンドユニット１´にさらに同種のブックスタンドユニット１´を連結させる際に、当該ブックスタンドユニット１´に備わる受容部１７または受容部１９に上記要領で収めさせることにより、任意に増設させることが可能な構成となっている。
【００２２】
ブックスタンドＢ１を解体させるには、収納領域Ｓ側から第１の立壁１４と第２の立壁にそれぞれ備わり貫通して形成されている係り合い解除貫通穴１７３、１９３を通じて爪部材１６２、１８２を指で押圧させて、前記回転規制爪片１８３、１８３と前記係脱片１７１、１７１とを、前記１６３、１６３と前記１７１、１７１との係り合いを解除させ、合わせて、嵌合状態にある連結立壁爪片１８４Ａ、１８４Ａと受容穴１７２Ａ、１７２Ａとの係り合いを解除させることで連結維持状態を解放できるとともに、ブックスタンドユニット１´と１´´とを分離できる状態を得られる。
【００２３】
次に、図７を参照して、一対のブックスタンドユニット１´、１´´を使って組立てる他形態のブックスタンドＢ２、Ｂ３の構造と組立て方について説明する。
【００２４】
図７（ａ）に示している形態のブックスタンドＢ２は、同一である一対の前記ブックスタンドユニット１´、１´´により収納領域Ｓの開口幅を比較的小さく確保するように構成され、ブックスタンドユニット１´と１´´の第１の立壁１４で収納領域Ｓの底壁を形成し、ブックスタンドユニット１´と１´´の第２の立壁１５で収納領域Ｓの背壁を形成する形態のブックスタンドであり、比較的薄手の冊子等を立てて収納するのに適しているものである。一対のブックスタンドユニット１´、１´´は、ブックスタンドユニット１´に対し互いに同方向の位置関係に配置し、ブックスタンドユニット１´の第１の立壁１４における側板１１の平面と平行な一方の端部１４ａとブックスタンドユニット１´´の第１の立壁１４における側板１１上の端部対応部位１４ｂとを、ブックスタンドユニット１´の第２の立壁１５における側板１１の平面と平行な一方の端部１５ａとブックスタンドユニット１´´の第２の立壁１５における側板１１上の端部対応部位１５ｂとを互いに接触させて組立てられる構成のものである。このブックスタンドユニット１´と１´´との連結状態を維持させるために、まず、ブックスタンドユニット１´の第２の立壁１５に備わる爪部材１８２をブックスタンドユニット１´´の第２の立壁１５に備わる受容部１９に収める。具体的には、ブックスタンドユニット１´に連接されている爪部材１８２の先端側に備わる回転規制爪片１８３、１８３を、ブックスタンドユニット１´´の係脱可能に構成する断面視略Ｊ字状の一対の係脱片１９１、１９１に押し込めて係り合わせる。同時に、ブックスタンドユニット１´の前記爪部材１８２に備わる連結立壁爪片１８４Ａ、１８４Ａはブックスタンドユニット１´´の前記受容部１９に貫通して形成されている受容穴１９２Ｂ、１９２Ｂと互いに嵌合させる。また、ブックスタンドユニット１´´に備わる回転自在な薄肉ヒンジ１６１より先端に形成されている爪部材１６２は、同様にブックスタンドユニット１´´の前記受容部１９に収めればよく、爪部材１８２の先端側に備わる回転規制爪片１８３、１８３を、係脱可能に構成する断面視略Ｊ字状の一対の係脱片１９１、１９１に押し込めて係り合わせ、連結立壁爪片１８４Ａ、１８４Ａは前記受容部１９に貫通して形成されている受容穴１９２Ａ、１９２Ａと互いに嵌合させる. また、同要領で、ブックスタンドユニット１´の第１の立壁１４に備わる爪部材１６２をブックスタンドユニット１´´の第１の立壁１４に備わる受容部１７に収めるとともに、ブックスタンドユニット１´´に備わる爪部材１６２も、受容部１７に貫通して形成されている受容穴１７２Ａ、１７２Ａと互いに嵌合させる.
図７（ｂ）に示している形態のブックスタンドＢ３は、同一である一対の前記ブックスタンドユニット１´、１´´により収納領域Ｓ、Ｓの開口幅を比較的小さくさせながら開放領域を大きくさせて組立てた形態のものである。ブックスタンドユニット１´の第２の立壁１５における側板１１上の端部対応部位１５ｂとブックスタンドユニット１´´の第１の立壁１４における側板１１上の端部対応部位１４ｂとを、ブックスタンドユニット１´の第１の立壁１４における側板１１上の端部対応部位１４ｂとブックスタンドユニット１´´の第２の立壁１５における側板１１上の端部対応部位１５ｂとを互いに接触させて組立てられる構成のものであり、上記と同要領で連結維持状態を保たせたり解放させることができる。
【００２５】
以上のように、本発明の実施形態は、平板状の側板１１を有し、相互に連結することによって側板１１間を収納領域ＳとするブックスタンドＢ１、Ｂ２、Ｂ３を構成するものであって、一方のブックスタンドユニット１（１´）に対して他方のブックスタンドユニット１（１´´）の側板１１を裏返して連結することによって、側板１１間に異なる収納幅の収納領域Ｓを形成し得るようしたことを特徴とするものである。
【００２６】
このようなものであれば、収納しようとする書籍類、冊子類を立てて整理保管させるために、書籍類、冊子類の厚さ寸法に応じて、１種類のブックスタンドユニット１で収納領域の幅寸法を選択的に設定できるブックスタンドＢ１、Ｂ２、Ｂ３を組立てることが可能である。
【００２７】
また、前記ブックスタンドユニット１の基本構成として、平板状の側板１１とその側板１１に隣接する２側辺１２、１３より一側面側に起立する第１の立壁１４及び第２の立壁１５とを具備するブックスタンドユニット１（１´、１´´）であって、
一対の隣接するブックスタンドユニット１は、一方のブックスタンドユニット１´´を構成する側板１１の他側面に他方のブックスタンドユニット１´を構成する側板１１の一側面を対面させた状態では、当該他方のブックスタンドユニット１´を構成する第１の立壁１４の端部１４ａ及び第２の立壁１５の端部１５ａを前記一方のブックスタンドユニット１´´を構成する側板１１のうち第１の立壁１４の端部対応部位１４ｂ及び第２の立壁１５の端部対応部位１５ｂに接続して相互に連結が可能であり、一方のブックスタンドユニット１´´を構成する側板１１の一側面に他方のブックスタンドユニット１´を構成する側板の一側面を対面させた状態では、当該他方のブックスタンドユニット１´を構成する第１の立壁１４の端部１４ａ及び第２の立壁１５の端部１５ａを前記一方のブックスタンドユニット１´´を構成する第２の立壁１５の端部１５ａ及び第１の立壁１４の端部１４ａに接続して相互に連結が可能な構成にしたものである。
【００２８】
このようなものであれば、前者の連結時に構成されるブックスタンドＢ２は第1の立壁１４や第２の立壁１５の起立高さに対応する収納幅を有し、後者の連結時に構成されるブックスタンドＢ１は第１の立壁１４および第２の立壁１５の各起立高さを加え合わせた収納幅を有することとなる。したがって、収納しようとする書籍類、冊子類を立てて整理保管させるために、書籍類、冊子類の厚さ寸法に応じて、１種類のブックスタンドユニット１で収納領域の幅寸法を選択的に設定できるブックスタンドＢ１、Ｂ２、Ｂ３を組立てることが可能である。
【００２９】
また、前記平板状の側板１１は、図２上のＸ−Ｘ線であらわされているように、その側板の隣接し合う２つの側辺１２、１３でなす角を２等分する直線を仮想したとき、その仮想線に対して線対称な形状であるものや、その側板１１の対角線を仮想したとき、その対角線に対して線対称な形状であれば、収納領域の幅寸法が異なるブックスタンドを形成しても前記作用効果を備えながら側板１１の形状に統一性を持たせることができる。
【００３０】
特に、前記平板状の側板１１は、少なくとも３つの側辺で形成されるとともに、その側辺のうち隣接する２側辺１２、１３の一方の側辺１２または側辺１２近傍に前記第1の立壁１４を立設させ、他方の側辺１３または側辺１３近傍に前記第２の立壁１５を立設させていれば、本発明のブックスタンドユニット１の基本的な構成を備えるものとなる。さらに、平板状の側板１１の隣接する２側辺１２、１３は、互いに直角をなす関係であり、かつ、前記第１の立壁１４と第２の立壁１５は、前記平板状の側板１１の隣接する２側辺１２、１３に沿って平行に立設させている構成を採用すれば、簡素な形状でありながら、収納領域Ｓの奥行きを充分に確保できるブックスタンドユニット１を提供できる。
【００３１】
さらに、複数個のブックスタンドユニット１を連結させるために、前記第１の立壁１４または第２の立壁１５における前記側板１１の平面と平行な端部または端部対応部位１４ａ、１４ｂ、１５ａ、１５ｂ近傍には、連結手段を備えさせておくとよく、前記連結手段として、前記第1の立壁１４と第２の立壁１５の端部または端部対応部位１４ｂ、１５ａ側には凸部１４２、１５２を設けているとともに、端部または端部対応部位１４ａ、１５ｂ側には凹部１４１、１５１を設けている構成を採用すれば、凹凸係合構造で簡単な構成の連結手段を形成でき、難なくブックスタンドユニット１を連結させることができる。
【００３２】
また、前記第１の立壁１４または第２の立壁１５は、複数の前記ブックスタンドユニット１を連結した状態を維持させる連結維持手段１６を備えさせておけば、連結された各ブックスタンドユニット１が不意に解体されてしまうおそれがなくなる。
【００３３】
好ましくは、前記連結維持手段１６、１８は、それぞれ爪部材１６２、１８２と爪部材１６２、１８２を受容可能な受容部１７、１９とで構成され、前記爪部材１６２、１８２は、前記第１の立壁１４または第２の立壁１５に回動自在な薄肉ヒンジ１６１、１８１とその薄肉ヒンジ１６１、１８１の先端側に爪片１６３、１６４Ａ、１６４Ｂ、１８３、１８４Ａ、１８４Ｂとを備えているとともに、前記受容部１７、１９は、前記爪部材１６２、１８２を嵌め込みおよび嵌め込み解除可能な受容穴１７２、１９２とで構成させるとよい。このような構成を採用すれば、一方のブックスタンドユニット１´の前記爪片１６３、１６４Ａ、１６４Ｂ、１８３、１８４Ａ、１８４Ｂを、隣接するブックスタンドユニット１´´の前記受容部１７、１９に嵌め込むだけで、両ブックスタンドユニット１´、１´´は互いに連結されている状態を簡単に構成できる。また、この連結を解除する場合も、前記嵌め込みと逆の動作をするだけで簡単に連結維持状態を解除できる。
【００３４】
以上、本発明の実施形態について説明したが、各部の具体的な構成は、上述した実施形態のみに限定されるものではなく、本発明の趣旨を逸脱しない範囲で種々変形が可能である。なお、以下の説明において、前記実施態様と同一若しくは同等の構成部分については必要に応じて同一符号を用いるものとし、説明を省略若しくは簡略にする。
【００３５】
図８（ａ）にあらわされている形態のブックスタンドユニット１は、矩形状の側板１１の隣り合う側辺１２、１３のうち、側辺１２には第１の立壁１４を立設させ、また、側板１１を延長させるように断面視略Ｊ字状の凸部１４２を備えさせ、さらに、第１の立壁１４には側板１１と平行に延長片１４Ａを側板１１の外側に設け、延長片１４Ａには切り欠くことで凹部１４１を設けている。側辺１３の近傍には第２の立壁１５を立設させ、さらに、側板１１と平行に断面視略Ｊ字状の凸部１５２を備えている。また、側辺１３は、切り欠くことで凹部１５１を備えている。このブックスタンドユニット１´の凸部１４２、凹部１５１をそれぞれブックスタンドユニット１´´の凹部１４１、凸部１５２に係り合わせることで図８（ｂ）にあらわされるように底板の幅寸法が比較的小さいブックスタンドＢ２を組立てることができ、ブックスタンドユニット１´の凸部１５２、凹部１４１をそれぞれブックスタンドユニット１´´の凹部１４１、凸部１５２に係り合わせることで図８（ｃ）にあらわされるように底板の幅寸法が比較的大きいブックスタンドＢ１を組立てることができる。
【図面の簡単な説明】
【００３６】
【図１】本発明の一実施形態に係るブックスタンドユニットの斜視図。
【図２】同実施形態に係るブックスタンドユニットの正面図。
【図３】同実施形態に係るブックスタンドユニットで組立てたブックスタンドの斜視図。
【図４】図３におけるブックスタンドの背面図。
【図５】図４におけるＡ−Ａ線要部拡大端面図。
【図６】図４のＢ−Ｂ線要部拡大端面図。
【図７】同実施形態に係るブックスタンドユニットで組立てたブックスタンドの変形例をあらわす斜視図。
【図８】同実施形態の変形例に係るブックスタンドユニットの斜視図と該ブックスタンドユニットで組立てたブックスタンドの斜視図。
【符号の説明】
【００３７】
１…ブックスタンドユニット
１１…側板
１２、１３…側辺
１４…第１の立壁
１４ａ…端部
１４ｂ…端部対応部位
１５…第２の立壁
１５ａ…端部
１５ｂ…端部対応部位
１６、１８…連結維持手段
１７、１９…受容部
１４１、１５１…凹部
１４２、１５２…凸部
Ｓ…収納領域
【図１】
2005073958.tif 000003
【図２】
2005073958.tif 000004
【図３】
2005073958.tif 000005
【図４】
2005073958.tif 000006
【図５】
2005073958.tif 000007
【図６】
2005073958.tif 000008
【図７】
2005073958.tif 000009
【図８】
2005073958.tif 000010